(57)【要約】【課題】取付対象面と平行な面での更なる小型化を実現可能なスイッチボタン装置を提供する。【解決手段】スイッチ回路４ａが形成されたスイッチ基板４と、メイン回路等が形成されてスイッチ基板４と電気的に接続され、さらにスイッチ基板４ａよりも大きく成形されたメイン基板５とを別体成形し、スイッチ基板４ａを、壁面と略平行となるような姿勢で後ケース２に取り付ける一方、メイン基板５を、壁面に対して略直交するような姿勢で後ケース２に取り付けた。【選択図】図３
2009054326.tif 000002
【特許請求の範囲】
【請求項１】
前面にスイッチボタン面が形成された前ケースと、当該前ケースに組み付けられ、壁面等の取付対象面に埋設状態で取り付けられる後ケースとを有し、
前記前ケース及び前記後ケースで形成される内部空間に、スイッチ回路が形成されたスイッチ基板と、メイン回路等が形成されて前記スイッチ基板と電気的に接続され、さらに前記スイッチ基板よりも大きく成形されたメイン基板とを収容してなるスイッチボタン装置であって、
前記スイッチ基板が、前記取付対象面と略平行となるような姿勢で前記後ケースに取り付けられている一方、
前記メイン基板が、前記取付対象面に対して略直交するような姿勢で前記後ケースに取り付けられていることを特徴とするスイッチボタン装置。
【請求項２】
前記後ケースの埋設部に、前後方向へ延びる多角形筒状に形成されたシャーシ部を設けるとともに、前記メイン基板の両側縁を前記シャーシ部の内壁面に接触或いは近接させた状態で、前記メイン基板を前記シャーシ部内に収納し取り付けたことを特徴とする請求項１に記載のスイッチボタン装置。
【請求項３】
前記メイン基板を、前記シャーシ部の開口面における対角線上に位置するように、前記シャーシ部内に収納し取り付けたことを特徴とする請求項２に記載のスイッチボタン装置。
【請求項４】
前記後ケース内に、前記メイン基板を挟持固定するため挟持片を設けたことを特徴とする請求項１〜３の何れかに記載のスイッチボタン装置。
【請求項５】
前記スイッチ基板を、前記スイッチ回路を前方へ向けた姿勢で、前記メイン基板の前方を覆うように前記後ケースに取り付け、当該スイッチ基板により、前記メイン基板の取付位置からの前方への移動を防止可能としたことを特徴とする請求項１〜４の何れかに記載のスイッチボタン装置。
【発明の詳細な説明】
【技術分野】
【０００１】
本発明は、壁面等を取付対象面として、当該取付対象面内部にケースの一部が埋設された状態で取り付けられるスイッチボタン装置に関するものである。
【背景技術】
【０００２】
従来、壁面等の内部に後ケースの一部を埋設した状態で取り付けられ、前面側からスイッチを操作するスイッチボタン装置としては、種々のものが考案されており、その一般例として、たとえば特許文献１に開示されているようなスイッチボタン装置がある。このような一般的なスイッチボタン装置にあっては、スイッチ回路が形成されたスイッチ基板とメイン回路が形成されたメイン回路とが制御基板として一体的に形成されることが多い。そして、該制御基板は、スイッチ回路のＯＮ／ＯＦＦ操作機構の簡素化等に鑑み、壁面と略平行、すなわちスイッチボタン面と略平行となるような姿勢で後ケース等に取り付けられている。
【０００３】
【特許文献１】特開平７−３４６４９号公報
【発明の開示】
【発明が解決しようとする課題】
【０００４】
近年、デザイン等の問題から、壁面等の取付対象面から前方へ突出する部分の小型化を望まれる場合がある。しかしながら、上記従来のスイッチボタン装置では、比較的大型の制御基板を取付対象面と平行に設置する必要があるため、取付対象面と平行な面での小型化に限界がある。したがって、それ以上の更なる小型化の要望に応えることができないといった問題があった。
【０００５】
そこで、本発明は、上記問題に鑑みなされたものであって、取付対象面と平行な面での更なる小型化を実現可能なスイッチボタン装置を提供しようとするものである。
【課題を解決するための手段】
【０００６】
上記目的を達成するために、本発明のうち請求項１に記載の発明は、前面にスイッチボタン面が形成された前ケースと、当該前ケースに組み付けられ、壁面等の取付対象面に埋設状態で取り付けられる後ケースとを有し、前ケース及び後ケースで形成される内部空間に、スイッチ回路が形成されたスイッチ基板と、メイン回路等が形成されてスイッチ基板と電気的に接続され、さらにスイッチ基板よりも大きく成形されたメイン基板とを収容してなるスイッチボタン装置であって、スイッチ基板が、取付対象面と略平行となるような姿勢で後ケースに取り付けられている一方、メイン基板が、取付対象面に対して略直交するような姿勢で後ケースに取り付けられていることを特徴とする。
この構成によれば、比較的小型に成形可能なスイッチ基板と、比較的大型となるメイン基板とを別体成形し、メイン基板を取付対象面と略直交となる姿勢で後ケースに取り付けている。したがって、従来のスイッチボタン装置よりも、取付対象面と平行方向への更なる小型化を図ることができ、多様なデザインに対応することができる。
【０００７】
請求項２に記載の発明は、請求項１に記載の発明において、後ケースの埋設部に、前後方向へ延びる多角形筒状に形成されたシャーシ部を設けるとともに、メイン基板の両側縁をシャーシ部の内壁面に接触或いは近接させた状態で、メイン基板をシャーシ部内に収納し取り付けたことを特徴とする。
この構成により、メイン回路等の形成に十分な基板幅が確保されたメイン基板を、シャーシ部内へ収納することができる。
【０００８】
請求項３に記載の発明は、請求項２に記載の発明において、メイン基板を、シャーシ部の開口面における対角線上に位置するように、シャーシ部内に収納し取り付けたことを特徴とする。
この構成により、さらに幅広なメイン基板であってもシャーシ部内へ収納することができる。
【０００９】
請求項４に記載の発明は、請求項１〜３のいずれかに記載の発明において、後ケース内に、メイン基板を挟持固定するため挟持片を設けたことを特徴とする。
この構成によれば、挟持片にメイン基板の両側縁を挟持させるだけで、メイン基板を後ケースに固定することができるため、メイン基板の後ケースへの取付作業の簡素化を図ることができる。
【００１０】
請求項５に記載の発明は、請求項１〜４のいずれかに記載の発明において、スイッチ基板を、スイッチ回路を前方へ向けた姿勢で、メイン基板の前方を覆うように後ケースに取り付け、当該スイッチ基板により、メイン基板の取付位置からの前方への移動を防止可能としたことを特徴とする。
この構成によれば、挟持片に挟持された状態にあるメイン基板の前方への移動、すなわち脱落方向への移動を防止することができるし、メイン基板の移動を防止するための係止片等を別途設ける必要がなく、構成の合理化を図ることができる。
【発明の効果】
【００１１】
本発明によれば、比較的小型に成形可能なスイッチ基板と、比較的大型となるメイン基板とを別体成形し、スイッチ基板は従来同様に取付対象面に略平行となるように取り付ける一方、メイン基板は取付対象面と略直交となる姿勢で後ケースに取り付けている。したがって、メイン基板とスイッチ基板とを一体成形して取付対象面と略平行に取り付けていた従来のスイッチボタン装置よりも、取付対象面と平行方向への更なる小型化を図ることができ、多様なデザインに対応することができる。
【発明を実施するための最良の形態】
【００１２】
以下、本発明の一実施形態となるスイッチボタン装置について、図面をもとに説明する。
【００１３】
図１は、壁面Ｗに取り付けられたスイッチボタン装置１を示した斜視説明図であり、図２は、壁面Ｗに取り付け状態にあるスイッチボタン装置１を後側（壁面Ｗ内側）から示した斜視説明図である。また、図３は、スイッチボタン装置１を分解して示した斜視説明図である。
スイッチボタン装置１は、壁面Ｗ内部に固定される後ケース２と、該後ケース２に組み付けられて壁面Ｗから前方へ突出する前ケース３と、スイッチ回路４ａが形成されたスイッチ基板４と、メイン回路等が形成されたメイン基板５と、後ケース２を壁面Ｗとで挟持するための取付金具６と、該取付金具６を後ケース２に対して固定するための取付ビス７、７とからなる。スイッチ基板４及びメイン基板５は、後ケース２及び前ケース３で形成される内部空間に収容されており、スイッチ基板４は、メイン基板５と電気的に接続されているものの、メイン基板５とは別体として成形され、メイン基板５よりも小型となっている（すなわち、メイン基板５の方が大きく成形されている）。
【００１４】
また、スイッチ基板４の前方には、スイッチ回路４ａをＯＮ／ＯＦＦ操作するための押込操作部８が設置されている。該押込操作部８は、軸部８ａ、８ａを軸として回動可能に、且つ、前ケース３に開設された操作窓３ａから露出するように後ケース２に取り付けられている。したがって、前ケース３の前方からの押込操作が可能となっており、その押込操作によって、スイッチ回路４ａがＯＮ／ＯＦＦ操作されるようになっている。尚、押込操作部８には、正面視が１辺３５ｍｍ程度の三角形状部が設けられている。そして、該三角形状部が前ケース３の操作窓３ａから露出し、前ケース３前面の面積の略２０％程度を占める比較的大型のスイッチボタン面を形成している。
さらに、前ケース３が、押込操作部８を覆うようにして後ケース２に組み付けられている。前ケース３は、正面視が幅５０ｍｍ、高さ５０ｍｍ程度の正方形状となるように形成された後面に開口を有する箱状体（奥行きは１７ｍｍ程度）であって、その前面には、上記押込操作部８の三角形状部と略同形状の操作窓３ａが開設されている。
【００１５】
一方、後ケース２は、メイン基板５等が取り付けられる筒状のシャーシ部９と、該シャーシ部９の前端縁に形成されたフランジ部１０とからなる箱状体に成形されている。ここで、図４及び図５をもとに後ケース２について詳述する。図４は、後ケース２を拡大して示した斜視説明図であり、図５は、後ケース２を正面（前面）から示した説明図である。
シャーシ部９は、前後方向へ略３０ｍｍ程度延設された筒状体であって、内部空間は、正面視が略八角形状となっており、メイン基板５を収納可能となっている。該シャーシ部９の後端部の内壁面には、メイン基板５の両側縁を挟持固定するための一対の挟持リブ片１１、１１が対向して設けられている。したがって、メイン基板５は、その両側縁をシャーシ部９内壁面に接触させ（すなわち、シャーシ部９の開口面における対角線上に位置し）た状態で、挟持リブ片１１、１１・・に挟持され固定されることになる（図６に示す）。そして、このようにメイン基板５をシャーシ部９内へ収納することで、後ケース２を壁面Ｗへ取り付けると、メイン基板５は、壁面Ｗに対して略直交するような姿勢で後ケース２に固定されることになる。尚、シャーシ部９の後端面は閉塞されており、メイン基板５の後方への脱落を防止している。
【００１６】
また、シャーシ部９の前端部には、ネジ孔１２を有する一対の取付段部１３がシャーシ部９内方へ突設されている。そして、該取付段部１３、１３上へスイッチ基板４を載置し、固定ネジ１４、１４をネジ孔１２へ螺入することにより、シャーシ部９前端の開口面を閉塞するような状態でスイッチ基板４を固定可能としている（図７に示す）。尚、後ケース２を壁面Ｗへ取り付けると、スイッチ基板４は、壁面Ｗと略平行となるような姿勢で後ケース２に固定されることになる。
さらに、シャーシ部９の前端開口縁には、鍔状のフランジ部１０が設けられており、該フランジ部１０と取付金具６とにより、後述の如くして壁面Ｗを挟持するようになっている。また、フランジ部１０の左右両側部には、板状部１５、１５が前方へ立設されており、各板状部１５の上端部には、押込操作部８の軸部８ａを軸支するための軸孔１６が穿設されている。加えて、フランジ部１０の上下両側部には、取付ビス７を挿通可能なビス孔１７が設けられている。
【００１７】
以下、上述の如く構成されるスイッチボタン装置１の組み立て及び壁面Ｗへの取り付けについて説明する。
まず、後ケース２のシャーシ部９内へメイン基板５を収納し、挟持リブ片１１、１１・・により挟持して固定する（図６）。このとき、上述したようにメイン基板５はシャーシ部９の開口面における対角線上に位置することになり、後述の如く後ケース２を壁面Ｗへ取り付けた際には、壁面Ｗに対して略直交するような姿勢となる。
次に、スイッチ基板４を、シャーシ部９内の取付段部１３、１３上に載置し、固定ネジ１４、１４により該取付段部１３、１３へ螺着して固定する（図７）。当該スイッチ基板４の固定に伴って、シャーシ部９前面側の開口が閉塞され、メイン基板５の前方がスイッチ基板４により覆われた状態となり、メイン基板５の前方への移動（すなわち、固定状態からの脱落）が防止される。尚、後ケース２を壁面Ｗへ取り付けた際には、スイッチ基板４は壁面Ｗと略平行な姿勢となる。
【００１８】
さらに、軸部８ａ、８ａを軸孔１６、１６に軸支させ、スイッチ基板４の前方に押込操作部８を取り付ける。このようにして押込操作部８を取り付けることで、使用者による押込操作によって、押込操作部８が軸部８ａ、８ａを軸として回動するため、後方に位置するスイッチ回路４ａのＯＮ／ＯＦＦ操作が可能となる。
さらにまた、フランジ部１０のビス孔１７、１７へ取付ビス７、７を挿通させ、その取付ビス７、７に取付金具６を緩めに装着した後、後ケース２のシャーシ部９を、壁面Ｗに開設された取付孔Ｈから壁面Ｗ内部に埋入する。そして、フランジ部１０を、取付孔Ｈの前面側周縁に当接させた状態で取付金具６を締め付け、フランジ部１０と取付金具６とにより取付孔Ｈ周縁部を挟持させて、後ケース２を壁面Ｗに固定する。
その後、前ケース３を後ケース２のフランジ部１０に組み付ければ、スイッチボタン装置１の組み立て及び壁面Ｗへの取り付けは完了となる。
【００１９】
以上のようにして構成され、組み立てられ、そして壁面Ｗに取り付けられるスイッチボタン装置１によれば、比較的小型に成形可能なスイッチ基板４と、比較的大型となるメイン基板５とを別体成形し、スイッチ基板４は従来同様に壁面Ｗと略平行となるように取り付ける一方、メイン基板５は壁面Ｗと略直交となる姿勢で後ケース２に取り付けている。したがって、メイン基板とスイッチ基板とを一体成形して壁面Ｗと略平行に取り付けていた従来のスイッチボタン装置よりも、壁面Ｗと平行方向への更なる小型化を図ることができ、多様なデザインに対応することができる。
また、後ケース２に略八角形筒状のシャーシ部９を設け、メイン基板５を、シャーシ部９の開口面における対角線上に位置するようにシャーシ部９内に収納し取り付けている。このように、メイン基板５を、シャーシ部９内において比較的幅のとれる位置へ収容するようにしているため、メイン回路等の形成に十分な基板幅が確保された幅広なメイン基板５であってもシャーシ部９内へ収納し取り付けることができる。
【００２０】
さらに、シャーシ部９内に挟持リブ片１１、１１・・を設けており、当該挟持リブ片１１、１１・・にメイン基板５の両側縁を挟持させることで、メイン基板５をシャーシ部９内で固定可能としている。したがって、メイン基板５の取付作業の簡素化を図ることができる。
加えて、スイッチ基板４を、メイン基板５の前方を覆うように後ケース２に固定している。したがって、スイッチ基板４により、挟持リブ片１１、１１・・に挟持された状態にあるメイン基板５の前方への移動、すなわち脱落方向への移動を防止することができるし、シャーシ部９内にメイン基板５の移動を防止するための係止片等を設ける必要がなく、構成の合理化を図ることができる。
【００２１】
なお、本発明に係るスイッチボタン装置に係る構成は、上記実施形態に記載の態様に何ら限定されるものではなく、前ケース、後ケース、シャーシ部、及びシャーシ部へのメイン基板やスイッチ基板の取付構造等に係る構成を、本発明の趣旨を逸脱しない範囲で、必要に応じて適宜変更することができる。
【００２２】
たとえば、上記実施形態では、メイン基板５を、略八角形筒状に形成されたシャーシ部９の開口面における対角線上に位置するようにシャーシ部９内へ収納するようにしているが、シャーシ部９の形状については八角形に限定されることはなく、六角形や四角形、十角形等、適宜変更可能である。また、メイン基板５の収納に際し、上記実施形態の如く対角線上に位置させるのではなく、対角線上以外の位置でメイン基板５の両側縁がシャーシ部９内壁面に接触又は近接するように収納しても、幅広なメイン基板５の収納を可能とするといった効果を達成することができる。さらに、後ケース２にメイン基板５収納のための十分な大きさが確保できるのであれば、メイン基板５をシャーシ部９内壁面に近接等させて固定する必要はない。
【００２３】
また、メイン基板５の固定に係り、スイッチ基板４と同様、ネジを用いた固定を行うようにしてもよいことは言うまでもない。
さらに、スイッチ基板４とメイン基板５との設置位置関係において、必ずしもスイッチ基板４を、メイン基板５の前方を覆うように固定する必要はなく、メイン基板５の脱落方向への移動を防止するための係止片等を別途設けてもよい。
【００２４】
加えて、上記構成を有するスイッチボタン装置１は、種々の用途に使用することができるが、その一例として、トイレ等に設置する非常呼出ボタン装置として使用することができる。非常呼出ボタン装置は、一般的に、トイレを使用する際に操作する洗浄ボタン等の各種ボタン装置から少し間隔を空けて（たとえば、２０ｍｍ程度）設置され、誤呼出の防止が図られている。しかしながら、上記各種ボタン装置とのデザインの統一も望まれている。そこで、スイッチボタン装置１を使用することにより、各種ボタン装置（通常、壁面Ｗからの突出部が幅５０ｍｍ、高さ５０ｍｍ、奥行き１７ｍｍ程度）と略同寸法に成形することができ、上記各種ボタン装置とのデザインの統一を実現することができる。
【図面の簡単な説明】
【００２５】
【図１】壁面に取り付けられたスイッチボタン装置を示した斜視説明図である。
【図２】壁面に取り付け状態にあるスイッチボタン装置を後側（壁面内側）から示した斜視説明図である。
【図３】スイッチボタン装置を分解して示した斜視説明図である。
【図４】後ケースを拡大して示した斜視説明図である。
【図５】後ケースを正面（前面）から示した説明図である。
【図６】後ケースにメイン基板を取り付けた状態を示した説明図である。
【図７】後ケースにスイッチ基板を取り付けた状態を示した説明図である。
【符号の説明】
【００２６】
１・・スイッチボタン装置、２・・後ケース、３・・前ケース、４・・スイッチ基板、４ａ・・スイッチ回路、５・・メイン基板、６・・取付金具、７・・取付ビス、８・・押込操作部、８ａ・・軸部、９・・シャーシ部、１０・・フランジ部、１１・・挟持リブ片（挟持片）、１２・・ネジ孔、１６・・軸孔、Ｗ・・壁面（取付対象面）。
【図１】
2009054326.tif 000003
【図２】
2009054326.tif 000004
【図３】
2009054326.tif 000005
【図４】
2009054326.tif 000006
【図５】
2009054326.tif 000007
【図６】
2009054326.tif 000008
【図７】
2009054326.tif 000009